(57)【要約】【課題】励磁機固定子の設置作業の作業性を向上できる励磁機固定子の設置構造、及び回転電機を提供すること。【解決手段】  フレーム２と、フレーム２の端部に固定され、ベアリング４を支持するブラケット５と、環状に形成された励磁機固定子１１を有する励磁機１０と、を備える発電機１の、励磁機固定子１１の設置構造において、ブラケット５に形成されてフレーム２の内側に向かって突出し、かつ、励磁機固定子１１を支持する支持部２８をする突出部２７と、励磁機固定子１１を支持部２８に固定する固定部材４０と、を備える。【選択図】    図１
2018088791.tif 000002
【特許請求の範囲】
【請求項１】
両端に開口を有するフレームと、前記フレームの端部に固定され、ベアリングを支持するブラケットと、環状に形成された励磁機固定子を有する励磁機と、を備える回転電機の、前記励磁機固定子の設置構造において、
前記ブラケットに形成されて前記フレームの内側に向かって突出し、前記励磁機固定子を支持する支持部を有する突出部と、
前記励磁機固定子を前記支持部に固定する固定部材と、
を具備する励磁機固定子の設置構造。
【請求項２】
前記ブラケットは、前記ベアリングを収容して前記ベアリングを支持するベアリング収容部、及び前記フレームに固定され、前記フレームの一端開口の一部を覆うフランジを具備する下側支持部材と、前記ベアリングの上側部分を収容する上側支持部材と、を備え、
前記突出部は、前記フランジの前記フレーム内に面する面に複数設けられて、前記励磁機固定子の周方向に並んで配置され、
前記支持部は、前記突出部の先端部に形成され、前記励磁機固定子の外周面を支持する
請求項１に記載の励磁機固定子の設置構造。
【請求項３】
前記励磁機固定子を前記フレームに支持する支持部材を具備する
請求項１に記載の励磁機固定子の設置構造。
【請求項４】
両端に開口を有するフレームと、
前記フレーム内に配置された励磁機固定子を有する励磁機と、
前記フレームの端部に固定され、ベアリングを支持するブラケットと、
前記ブラケットに形成されて前記フレームの内側に向かって突出し、前記励磁機固定子を支持する支持部を有する突出部と、
前記励磁機固定子を前記支持部に固定する固定部材と、
を具備する回転電機。
【発明の詳細な説明】
【技術分野】
【０００１】
本発明は、回転電機に設置された励磁機が有する励磁機固定子の設置構造、及び回転電機に関する。
【背景技術】
【０００２】
回転電機の一例として、交流発電機がある。交流発電機は、フレーム内に配置されフレームに固定された固定子と、固定子内に配置された回転子と、を有し、この回転子に固定された回転軸が原動機により回転されることにより、固定子に交流電流を発生させる。
【０００３】
また、交流発電機では、回転子にコイルを巻いた鉄心を用い、この回転子コイルを励磁する励磁機を有するブラシレス発電機の技術が知られている。励磁機は、発電機のフレーム内に固定され、外部からの励磁により磁界を発生する励磁機固定子と、回転軸に固定された励磁機回転子と、を有している。励磁機回転子の回転により励磁機回転子に発生した交流電流は、整流器により整流されて直流電流となり、発電機の回転子コイルに供給される。
【０００４】
励磁機固定子をフレームに設置する手段として、環状の励磁機枠を用いる技術が知られている（例えば、特許文献１参照。）。励磁機固定子は、フレーム内に配置されフレームに固定された励磁機枠に固定される。励磁機固定子は、励磁機枠に、例えば焼き嵌めにより、固定される。
【先行技術文献】
【特許文献】
【０００５】
【特許文献１】実開昭６０−２３５７号公報
【発明の概要】
【発明が解決しようとする課題】
【０００６】
上述した、励磁機固定子の設置には以下の問題があった。即ち、励磁機枠を用いるので、励磁機固定子の設置工程は、励磁機固定子を励磁機枠に固定する工程と、励磁機枠をフレームに固定する工程と、を必要とする。焼き嵌めにより励磁機固定子を励磁機枠に固定する場合では、励磁機枠を炉により加熱する工程も必要となり、さらに工程数が増える。
【０００７】
さらに、励磁機固定子が励磁機枠を介してフレームに固定され、励磁機回転子が回転軸に固定され、その回転軸を支持するベアリングがベアリングブラケットを介してフレームに取り付けられるので、励磁機固定子の中心と励磁機回転子の中心とが一致していない場合が多く、励磁機固定子と励磁機回転子との間のギャップを調整する工程が必要となる。このように、励磁機固定子の設置作業の工程数が多くなるという問題がある。さらに、励磁機固定子が固定された励磁機枠がフレームに挿入されてフレームに固定される為、励磁機枠をフレーム挿入するときにクレーンを用いることができない。
【０００８】
このように、励磁機固定子の、フレーム内への設置作業の工程数が多く、かつ、この設置作業にクレーンを用いることができない為、励磁機固定子のフレーム内への設置に時間がかかるという問題がある。  
そこで本発明は、励磁機固定子をフレーム内に設置する作業の作業性を向上できる励磁機固定子の設置構造、及び回転電機を提供することを目的とする。
【課題を解決するための手段】
【０００９】
前記課題を解決し目的を達成するために、本発明の、励磁機固定子の設置構造は、次のように構成されている。本発明の一態様として、両端に開口を有するフレームと、前記フレームの端部に固定され、ベアリングを支持するブラケットと、環状に形成された励磁機固定子を有する励磁機と、を備える回転電機の、前記励磁機固定子の設置構造において、前記ブラケットに形成されて前記フレームの内側に向かって突出し、前記励磁機固定子を支持する支持部を有する突出部と、前記励磁機固定子を前記支持部に固定する固定部材と、を備える。
【００１０】
本発明の一態様として、回転電機は、両端に開口を有するフレームと、前記フレーム内に配置された励磁機固定子を有する励磁機と、前記フレームの端部に固定され、ベアリングを支持するブラケットと、前記ブラケットに形成されて前記フレームの内側に向かって突出し、前記励磁機固定子を支持する支持部を有する突出部と、前記励磁機固定子を前記支持部に固定する固定部材と、を備える。
【発明の効果】
【００１１】
本発明によれば、励磁機固定子をフレーム内に設置する工程数が少ない励磁機固定子の設置構造、及び回転電機を提供することが可能となる。
【図面の簡単な説明】
【００１２】
【図１】本発明の一実施形態に係る発電機の要部構成を示す断面図。
【図２】同発電機の端部を示す側面図。
【図３】同発電機の励磁機の下側ブラケット及び励磁機固定子の一部を示す説明図。
【図４】同下側ブラケット、及び同励磁機固定子の一部を示す斜視図。
【図５】同発電機の変形例の構成を示す断面図。
【発明を実施するための形態】
【００１３】
以下、本発明の第１の実施形態に係る発電機１を、図１乃至図４を用いて説明する。発電機１は、回転電機の一例である。図１は、発電機１の要部構成を示す断面図である。図２は、発電機１の端部を示す説明図である。図３は、下側ブラケット２０及び励磁機固定子１１の一部を、フレーム２側から見た状態を示す説明図である。図４は、下側ブラケット２０及び励磁機固定子１１の一部を示す斜視図である。
【００１４】
図１に示すように、発電機１は、フレーム２と、このフレーム２の端壁部２ｂの内面の開口２ｃの円周上で、回転軸３の軸方向に沿って配置された複数のリブ２ａで固定された固定子と、固定子内に配置された回転子と、フレーム２内に配置され、回転子が固定された回転軸３と、ベアリング４と、フレーム２に固定され、ベアリング４をフレーム２に支持するブラケット５と、フレーム２の端部に固定されたカバー６と、回転軸３の端部に接続された原動機と、フレーム２の端部に設けられた励磁機１０と、を有している。
【００１５】
フレーム２は、その両端に開口を有している。フレーム２は、例えば複数の部材から構成されている。本実施形態では、フレーム２は、環状の一対の端壁部２ｂと、この一対の端壁部２ｂ間に設けられ、一対の端壁部２ｂを互いに固定する複数のリブ２ａと、を有している。一対の端壁部２ｂは、内側に開口２ｃを有することにより、環状に形成されている。一対の端壁部２ｂは、同軸に配置されている。複数のリブ２ａは、一対の端壁部２ｂの内面の開口２ｃの縁部に周方向に並んで配置されており、開口２ｃの縁部に溶接等の固定手段により固定されている。複数のリブ２ａは、例えば５本用いられている。複数のリブ２ａは、開口２ｃの軸方向に延びている。固定子は、複数のリブ２ａに固定されている。固定子は、複数のコイルを有している。固定子は、回転子が発生する磁界と、回転子が回転することとにより、複数のコイルに交流電流を発生可能に構成されている。回転子は、コイルを巻いた鉄心より構成されている。回転子は、励磁機１０から供給される直流電流により磁界を発生可能に構成されている。
【００１６】
回転軸３は、原動機により回転される。回転軸３が回転することにより、この回転軸３に固定された回転子が一体に回転する。回転軸３の一部は、フレーム２の端部より外側に配置されている。
【００１７】
ベアリング４は、例えばすべり軸受である。ベアリング４は、回転軸３においてフレーム２の端部より外側に配置される部分の一部に設けられている。ベアリング４は、筒状に形成されており、回転軸３の一部をその内側に配置している。
【００１８】
ブラケット５は、図１及び図２に示すように、ベアリング４を上下方向に挟み込んで挟持する一対の部材を有している。ブラケット５は、具体的には、発電機１が設置場所に設置された状態でのベアリング４の下側の部分と回転軸３の一部とを内側に配置する下側ブラケット２０と、ベアリング４の上側の部分と回転軸３の一部を内側に配置する上側ブラケット３０と、を有している。
【００１９】
下側ブラケット２０は、ブラケット５の下側の部分を構成する。下側ブラケット２０は、半筒状に形成されたベアリング収容部２１と、ベアリング収容部２１の端部に形成され、フレーム２の端部に固定されるフランジ２２と、を有している。
【００２０】
ベアリング収容部２１は、その内側にベアリング４の下側の部分が配置される。ベアリング収容部２１は、ベアリング４に接触することによりベアリング４を支持する下部のベアリング支持部２３を有している。下部のベアリング支持部２３は、ベアリング収容部２１の内面に形成された突出部である。下部のベアリング支持部２３は、例えば、ベアリング収容部２１の内面の周方向一端から他端まで延びている。下部のベアリング支持部２３の先端面２４は、ベアリング４の外周面が面接触する円弧状の曲面に形成されている。
【００２１】
フランジ２２は、ベアリング収容部２１の一端から径方向外側に突出している。フランジ２２は、半環状に形成されており、フレーム２の一端開口の下側部分を覆うことが可能な大きさを有している。フランジ２２は、図２に示すように、その周縁部が、ボルト等の複数の固定部材２５により、フレーム２の端面に固定される。フランジ２２は、フレーム２の一端開口の一部である下側部分を覆う。
【００２２】
フランジ２２においてフレーム２の内側に対向する面２６には、励磁機１０の励磁機固定子１１が固定される突出部２７が形成されている。突出部２７は、図３に示すように、例えば、複数形成されている。複数の突出部２７は、下部のベアリング支持部２３の先端面２４の曲率中心を通る中心線Ｃの周方向に並んで配置されている。突出部２７は、面２６から突出しており、フレーム２内に配置される。
【００２３】
突出部２７の突出方向の端部であって、かつ、突出部２７の中心線Ｃ側の端部には、支持部２８が形成されている。支持部２８は、励磁機固定子１１に接触することにより、励磁機固定子１１を、フレーム２に支持する。支持部２８は、突出部２７の中心線Ｃ側の面の一部が凹んだ形状に形成されている。支持部２８は、具体的には、励磁機固定子１１のブラケット５に対向する面１１ｄが接触する第１の面２８ａと、励磁機固定子１１の外周面１１ｃが接触する第２の面２８ｂと、を有している。
【００２４】
第１の面２８ａは、中心線Ｃに直交する平面に形成されている。第１の面２８ａには、固定部材４０が螺合するねじ穴２９が形成されている。固定部材４０は、例えばボルトである。第２の面２８ｂは、励磁機固定子１１の外周面１１ｃが面接触する、中心線Ｃを中心とする円弧状の曲面に形成されている。第２の面２８ｂの曲率中心を通る中心線は、中心線Ｃと同じである。すなわち、第２の面２８ｂは、先端面２４と同軸に配置される。このような下側ブラケット２０は、例えば、旋盤による加工により、第２の面２８ｂと先端面２４とが、形成される。
【００２５】
上側ブラケット３０は、ブラケット５の上側の部分を構成する。上側ブラケット３０は、半筒状に形成されている。上側ブラケット３０は、ボルト等の固定部材により、下側ブラケット２０に固定される。上側ブラケット３０は、その内面に、ベアリング４の上側の部分に接触することによりベアリング４を支持する上部のベアリング支持部３１が形成されている。上部のベアリング支持部３１は、上側ブラケット３０の内面に形成された突出部である。上部のベアリング支持部３１の先端面３２は、ベアリング４の周面に面接する円弧状の曲面に形成されている。
【００２６】
カバー６は、図２に示すように、フレーム２の一端開口の、ブラケット５により覆われた部分以外を覆う。カバー６は、半環状に形成されている。カバー６は、ボルト等の固定部材７により、上側ブラケット３０及びフレーム２の縁に固定される。このように、フレーム２の一端開口は、カバー６及びブラケット５により覆われる。
【００２７】
励磁機１０は、図１に示すように、フレーム２内に配置され、回転軸３を内側に配置する環状の励磁機固定子１１と、励磁機固定子１１内に配置され、回転軸３に固定された励磁機回転子１２と、回転軸３に固定された整流器１３と、を有している。
【００２８】
励磁機固定子１１は、外部より直流電流が供給される。励磁機固定子１１は、具体的には、環状に形成された励磁機固定子鉄心１１ａと、励磁機固定子鉄心１１ａに設けられた複数の励磁機固定子コイル１１ｂと、を有している。励磁機固定子１１は、複数の励磁機固定子コイル１１ｂに外部から供給された直流電流により、磁界を形成している。
【００２９】
励磁機固定子１１は、下側ブラケット２０の突出部２７の支持部２８に固定される。励磁機固定子１１の外周面は、断面が円に形成される。具体的には、励磁機固定子鉄心１１ａは、図１、図３及び図４に示すように、その外周面１１ｃの一部と、ブラケット５側の面１１ｄの一部とが、突出部２７の支持部２８に支持された状態で、固定部材４０により支持部２８に締結され、固定される。より具体的には、励磁機固定子鉄心１１ａには、支持部２８の第１の面２８ａに形成されたねじ穴２９と連通する孔１１ｅが形成されている。そして、励磁機固定子１１は、その外周面１１ｃが第２の面２８ｂに面接触し、面１１ｄが第１の面２８ａに面接触した状態で、固定部材４０により、支持部２８に固定される。なお、図４では、固定部材４０は省略されている。
【００３０】
図１及び図２に示すように、励磁機回転子１２は、回転軸３に固定された励磁機回転子鉄心１２ａと、励磁機回転子鉄心１２ａに設けられた複数の励磁機回転子コイル１２ｂと、を有している。励磁機回転子１２は、回転することにより、及び、励磁機固定子１１の磁界により、励磁機回転子コイル１２ｂに交流電流を発生可能に構成されている。励磁機回転子１２は、その外周面１２ｃと励磁機固定子１１の内周面１１ｆとの間に所定のギャップを有している。
【００３１】
整流器１３は、励磁機回転子１２の励磁機回転子コイル１２ｂに発生した交流電流を直流電流に整流し、発電機１の回転子に供給する。
【００３２】
次に、励磁機固定子１１のフレーム２内への設置工程の一例について説明する。まず、下側ブラケット２０の突出部２７の支持部２８に、励磁機固定子１１を固定する。具体的には、図３に示すように、励磁機固定子１１を、支持部２８の第２の面２８ｂ上に載置し、励磁機固定子１１の面１１ｄを支持部２８の第１の面２８ａに接触させ、かつ、励磁機固定子鉄心１１ａの孔１１ｅと第１の面２８ａのねじ穴２９とを対向させる。
【００３３】
次に、この状態で、固定部材４０を、励磁機固定子鉄心１１ａの孔１１ｅを通してねじ穴２９に螺合することにより、励磁機固定子１１を支持部２８に固定する。次に、下側ブラケット２０と励磁機固定子１１との一体物を、フレーム２に、固定部材２５により固定する。この際、励磁機固定子１１と下側ブラケット２０との一体物に対して、下側ブラケット２０を、クレーンに吊るす部分として用いることができる。この為、これら一体物を搬送する工程と、これらの一体物をフレーム２に固定する工程とに、クレーンを利用することができる。
【００３４】
このように構成された励磁機固定子１１の設置構造では、励磁機固定子１１が下側ブラケット２０の突出部２７の支持部２８に固定されるので、下側ブラケット２０をフレーム２に固定することにより、同時に、励磁機固定子１１をフレーム２内に設置することができる。この為、励磁機固定子１１をフレーム２に設置する作業の工程数を少なくできる。
【００３５】
さらに、突出部２７及び下部のベアリング支持部２３が、下側ブラケット２０に形成されるので、旋盤による加工により、突出部２７の第２の面２８ｂ、及び下部のベアリング支持部２３の先端面２４を同軸に配置することができる。この為、励磁機固定子１１と励磁機回転子１２との間のギャップを調整する工程が不要となる。
【００３６】
このように、発電機１によれば、励磁機固定子１１をフレーム２に設置する工程数を少なくできる。また、発電機１によれば、励磁機固定子１１と励磁機回転子１２との間のギャップを調整する工程が不要となる。さらに、発電機１によれば、励磁機固定子１１をフレーム２内に設置する作業にクレーンを用いることができる。これらのことから、発電機１は、励磁機固定子１１をフレーム２内に、高い作業性で設置することができる。
【００３７】
さらに、突出部２７は、励磁機固定子１１の周方向に沿ってフランジ２２に複数形成されている。この為、励磁機固定子１１を突出部２７上に載置した状態において、励磁機固定子１１が安定するので、励磁機固定子１１を下側ブラケット２０に固定する作業を行いやすくなり、発電機１の組み立て作業の作業性の向上が可能となる。
【００３８】
次に、発電機１の変形例を、図５を用いて説明する。図５に示すように、変形例に係る発電機１Ａは、励磁機固定子１１をフレーム２に支持する、支持部材５０を有する。支持部材５０は、励磁機固定子１１において下側ブラケット２０に固定されない励磁機固定子１１の上側の部分を、フレーム２に支持可能に形成されている。本実施形態では、支持部材５０は、励磁機固定子１１の上端をフレーム２に固定する。
【００３９】
支持部材５０は、例えば、断面形状がＬ字形状に形成されている。支持部材５０の一端部５１は、励磁機固定子１１の上端に固定部材５４により、固定される。固定部材５４は、例えばボルトである。支持部材５０の他端部５２は、フレーム２の上端部に固定部材５４により固定される。具体的には、他端部５２は、端壁部２ｂの上端部の一部に固定部材５４により固定される。
【００４０】
励磁機固定子１１の上端に、支持部材５０の一端部５１が固定される固定部５３を有している。固定部５３は、例えば、励磁機固定子１１とは異なる部材を、励磁機固定子鉄心１１ａに溶接により固定されて形成されており、固定部材５４が螺合するねじ穴を有している。
【００４１】
支持部材５０は、励磁機固定子鉄心１１ａに、励磁機固定子１１が下側ブラケット２０に固定される前または後に、固定部材５４により固定される。そして、支持部材５０は、励磁機固定子１１と下側ブラケット２０との一体物がフレーム２に固定された後、カバー６がフレーム２に固定される前に、フレーム２の縁と下側ブラケット２０との間の開口を通して、フレーム２の端壁部２ｂに固定部材５４により固定される。このような変形例の発電機１Ａは、発電機１の効果に加え、励磁機固定子１１がフレーム２にも固定されるので、励磁機固定子１１の振動を軽減できる。
【００４２】
なお、本実施形態では、突出部２７は、下側ブラケット２０のフランジ２２の面２６に複数形成されたが、これに限定されない。他の例では、突出部２７は、フランジ２２の周方向に延びる１つが形成されてもよい。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４４】
１…発電機（回転電機）、２…フレーム、３…回転軸、４…ベアリング、５…ブラケット、１０…励磁機、１１…励磁機固定子、１１ａ…励磁機固定子鉄心、１１ｂ…励磁機固定子コイル、１２…励磁機回転子、１２ａ…励磁機回転子鉄心、１２ｂ…励磁機回転子コイル、２０…下側ブラケット、２２…フランジ、２７…突出部、３０…上側ブラケット、４０…固定部材、５０…支持部材。
【図１】
2018088791.tif 000003
【図２】
2018088791.tif 000004
【図３】
2018088791.tif 000005
【図４】
2018088791.tif 000006
【図５】
2018088791.tif 000007
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
両端に開口を有するフレームと、前記フレームの端部に固定され、ベアリングを支持するブラケットと、環状に形成された励磁機固定子を有する励磁機と、を備える回転電機の、前記励磁機固定子の設置構造において、
前記ブラケットの下側の部分に形成されて前記フレームの内側に向かって突出し、前記励磁機固定子を支持する支持部を有する突出部と、
前記励磁機固定子を前記支持部に固定する固定部材と、
を具備する励磁機固定子の設置構造。
【請求項２】
前記ブラケットは、前記ベアリングを収容して前記ベアリングを支持するベアリング収容部、及び前記フレームに固定され、前記フレームの一端開口の下側部分を覆うフランジを具備し、前記ブラケットの下側の部分を構成する下側支持部材と、前記ベアリングの上側部分を収容する、前記ブラケットの上側の部分を構成する上側支持部材と、を備え、
前記突出部は、前記フランジの前記フレーム内に面する面に複数設けられて、前記励磁機固定子の周方向に並んで配置され、
前記支持部は、前記突出部の先端部に形成され、前記励磁機固定子の外周面を支持する
請求項１に記載の励磁機固定子の設置構造。
【請求項３】
前記励磁機固定子を前記フレームに支持する支持部材を具備する
請求項１に記載の励磁機固定子の設置構造。
【請求項４】
両端に開口を有するフレームと、
前記フレーム内に配置された励磁機固定子を有する励磁機と、
前記フレームの端部に固定され、ベアリングを支持するブラケットと、
前記ブラケットの下側の部分に形成されて前記フレームの内側に向かって突出し、前記励磁機固定子を支持する支持部を有する突出部と、
前記励磁機固定子を前記支持部に固定する固定部材と、
を具備する回転電機。
【手続補正２】
【補正対象書類名】明細書
【補正対象項目名】０００９
【補正方法】変更
【補正の内容】
【０００９】
前記課題を解決し目的を達成するために、本発明の、励磁機固定子の設置構造は、次のように構成されている。本発明の一態様として、両端に開口を有するフレームと、前記フレームの端部に固定され、ベアリングを支持するブラケットと、環状に形成された励磁機固定子を有する励磁機と、を備える回転電機の、前記励磁機固定子の設置構造において、前記ブラケットの下側の部分に形成されて前記フレームの内側に向かって突出し、前記励磁機固定子を支持する支持部を有する突出部と、前記励磁機固定子を前記支持部に固定する固定部材と、を備える。
【手続補正３】
【補正対象書類名】明細書
【補正対象項目名】００１０
【補正方法】変更
【補正の内容】
【００１０】
本発明の一態様として、回転電機は、両端に開口を有するフレームと、前記フレーム内に配置された励磁機固定子を有する励磁機と、前記フレームの端部に固定され、ベアリングを支持するブラケットと、前記ブラケットの下側の部分に形成されて前記フレームの内側に向かって突出し、前記励磁機固定子を支持する支持部を有する突出部と、前記励磁機固定子を前記支持部に固定する固定部材と、を備える。
【手続補正４】
【補正対象書類名】明細書
【補正対象項目名】００４３
【補正方法】変更
【補正の内容】
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本願出願の当初の特許請求範囲に記載された発明を付記する。
［１］
両端に開口を有するフレームと、前記フレームの端部に固定され、ベアリングを支持するブラケットと、環状に形成された励磁機固定子を有する励磁機と、を備える回転電機の、前記励磁機固定子の設置構造において、
前記ブラケットに形成されて前記フレームの内側に向かって突出し、前記励磁機固定子を支持する支持部を有する突出部と、
前記励磁機固定子を前記支持部に固定する固定部材と、
を具備する励磁機固定子の設置構造。
［２］
前記ブラケットは、前記ベアリングを収容して前記ベアリングを支持するベアリング収容部、及び前記フレームに固定され、前記フレームの一端開口の一部を覆うフランジを具備する下側支持部材と、前記ベアリングの上側部分を収容する上側支持部材と、を備え、
前記突出部は、前記フランジの前記フレーム内に面する面に複数設けられて、前記励磁機固定子の周方向に並んで配置され、
前記支持部は、前記突出部の先端部に形成され、前記励磁機固定子の外周面を支持する
［１］に記載の励磁機固定子の設置構造。
［３］
前記励磁機固定子を前記フレームに支持する支持部材を具備する
［１］に記載の励磁機固定子の設置構造。
［４］
両端に開口を有するフレームと、
前記フレーム内に配置された励磁機固定子を有する励磁機と、
前記フレームの端部に固定され、ベアリングを支持するブラケットと、
前記ブラケットに形成されて前記フレームの内側に向かって突出し、前記励磁機固定子を支持する支持部を有する突出部と、
前記励磁機固定子を前記支持部に固定する固定部材と、
を具備する回転電機。